(57)【要約】【課題】キャビン内の居住空間を拡大する。【解決手段】キャビン付きトラクタ１０は、足載せ用のメインステップ２６と、操縦部２２を覆うキャビン３８とを備え、メインステップ２６の機体左右両側方には夫々サブステップ５６，５６が取付けられている。このサブステップ５６により、メインステップ２６を含むフロアステップの横幅がサブステップ５６の横幅に相当する分だけ拡大し、キャビン３８内の居住空間が拡大する。また、サブステップ５６の左右外側方の端部には、操縦部２２の乗降口を開閉するサイドドア５０の受面５６ｂが形成されていて、この受面５６ｂにより、サイドドア５０を閉じた場合に該サイドドア５０が受面５６ｂに当接し、室内の密閉性が保持される。【選択図】　　　図２
2004130949.tif 000002
【特許請求の範囲】
【請求項１】
操縦部を構成し座席の前方に設置された足載せ用のメインステップと、前記操縦部を覆うように機体上に取付けられたキャビンと、を備えたキャビン付きトラクタにおいて、
前記メインステップの機体左右両側方に夫々サブステップを取付けると共に、
該サブステップの左右外側方の端部に、前記操縦部の乗降口を開閉するサイドドアの受面を形成し、
前記サブステップと前記受面との共働で、前記キャビン内の居住空間を拡大した、
ことを特徴とするキャビン付きトラクタ。
【請求項２】
前記サブステップを、前記操縦部の内方に対し外方が高くなるように傾斜面に形成した、
ことを特徴とする請求項１記載のキャビン付きトラクタ。
【発明の詳細な説明】
【０００１】
【発明の属する技術分野】
本発明はキャビン付きトラクタに関し、詳しくはメインステップの側方にサブステップを取付け、キャビン内の居住空間を拡大したキャビン付きトラクタに関する。
【０００２】
【従来の技術】
キャビン付きトラクタにおいて、キャビンは、運転席で操縦するオペレータの周囲を保護すると共に、騒音を遮断したり、運転室内の冷暖房を可能とすべく外気を遮断する等の機能を有するが、安全性や快適性に加え、オペレータにとって視認性が良いことが望ましい。すなわち、小型のトラクタ等、機体の横幅寸法が小さい場合は、機体上に取付けられたキャビンの横幅寸法も小さくなり、キャビン内のオペレータに圧迫感を与える。
【０００３】
このため、従来、座席前方の足載せ用のフロアステップは、キャビン付きの場合は室内の居住空間を維持する必要等から、キャビン仕様とキャビン付きでない標準仕様とで構造を異ならせて、各仕様ごとに専用のフロアステップを取付けていた。
【０００４】
これに対し、キャビン付きトラクタにおいて、例えば特許文献１に開示されているように、機体後部における横幅寸法の内のり寸法を、機体前部における横幅寸法の内のり寸法よりも大きく設定することで、オペレータの着座する運転座席が配置される後部側壁の外方への偏位を図り、その内のり寸法を前部よりも大きく設定して、オペレータの上半身が位置する空間を大きくしたものが公知である。
【０００５】
また、例えば特許文献２には、キャビンのドアの下部に、フロアステップとサイドドアとの隙間を塞ぐようにシール材を設け、サイドドアの下部をフロアステップにうまく適合できない場合でも、シール材によりフロアステップとサイドドアとの隙間を塞いで泥水等の進入を防止する技術が開示されている。
【０００６】
【特許文献１】
特開平２‐２１６３７５号公報
【特許文献２】
実開昭５６‐１５０６１１号公報
【０００７】
【発明が解決しようとする課題】
しかし、前述した特許文献１に記載のように、オペレータの上半身が位置する空間を大きくしただけでは、オペレータの下半身に圧迫感を与える。また、特許文献２に記載の技術では、泥水等の進入を防止することはできても、キャビン内の居住空間を拡大することはできない。
【０００８】
更に、トラクタのフロアステップは、一般に平面的に構成されているため、オペレータが目視で確認しなければ、フロアステップの左右方向の外側終端位置であることを確認するのが難しく、このため乗降時に足を踏み外すおそれがあった。また、傾斜地に停車中のトラクタに乗降する場合に、フロアステップに乗せた足が滑るおそれもあった。
【０００９】
本発明は、斯かる課題を解決するためになされたもので、その目的とするところは、キャビン内の居住空間を拡大すると共に、足裏の感覚でフロアステップの外側端の位置を認識して足の踏み外しを防止することができるキャビン付きトラクタを提供することにある。
【００１０】
【課題を解決するための手段】
前記目的を達成するため、請求項１記載の発明は、操縦部（２２）を構成し座席の前方に設置された足載せ用のメインステップ（２６）と、前記操縦部（２２）を覆うように機体上に取付けられたキャビン（３８）と、を備えたキャビン付きトラクタ（１０）において、
前記メインステップ（２６）の機体左右両側方に夫々サブステップ（５６）を取付けると共に、
該サブステップ（５６）の左右外側方の端部に、前記操縦部（２２）の乗降口を開閉するサイドドア（５０）の受面（５６ｂ）を形成し、
前記サブステップ（５６）と前記受面（５６ｂ）との共働で、前記キャビン（３８）内の居住空間を拡大したことを特徴とする。
【００１１】
請求項２記載の発明は、請求項１記載のキャビン付きトラクタにおいて、前記サブステップ（５６）を、前記操縦部（２２）の内方に対し外方が高くなるように傾斜面（５６ａ）に形成した、ことを特徴とする。
【００１２】
［作用］
本発明によれば、足載せ用のメインステップ（２６）の機体左右両側方に夫々サブステップ（５６）を取付けたことで、操縦部（２２）のフロアステップの横幅が左右のサブステップ（５６，５６）の横幅に相当する分だけ拡大し、キャビン（３８）内の居住空間が拡大する。また、サブステップ（５６）の外側方の端部に、操縦部（２２）の乗降口を開閉するサイドドア（５０）の受面（５６ｂ）を形成したので、サイドドア（５０）を閉じた場合に、この受面（５６ｂ）にサイドドア（５０）が当接し、キャビン（３８）内の居住空間を確保しつつ室内の密閉性が保持される。
【００１３】
なお、上述の括弧内の符号は図面を対照するためのものであり、本発明を何ら限定するものではない。
【００１４】
【発明の実施の形態】
以下、図面に基づき本発明の実施の形態を説明する。
【００１５】
図１は、キャビン付きトラクタの外観図であり、トラクタ１０は、前輪１２及び後輪１４にて支持された走行機体１６を有し、機体前方にはエンジン１８を覆うボンネット２０が装着され、エンジン１８の下部には、機体後方に向けて一体的に延びるミッションケース２１が取付けられている。また、ボンネット２０の後方には、操縦部２２が設けられていて、該ボンネット２０と操縦部２２との間部分には、給油口２４を有する燃料タンク（図示せず）が配設されている。
【００１６】
操縦部２２には、足載せ用のメインステップ２６の上方にステアリングホイール（図示せず）と座席シート２８等が配設されていて、座席シート２８の側方でかつフェンダフレーム３０の内側には、主変速レバー３２及び副変速レバー３４が設けられている。
【００１７】
キャビン３８は、走行機体１６の上部で、メインステップ２６とフェンダフレーム３０の上部に、操縦部２２を覆うように装着されている。このキャビン３８は、操縦部２２の前部のフロントガラス４０を支持する前部壁４２と、リアガラス４４を支持する後部支柱４６と、前部壁４２と後部支柱４６の上部間に架設された金属製の天井フレーム４８と、後部支柱４６に回動自在に支持されて操縦部２２の乗降口を開閉する左右１対のサイドドア５０，５０（図２、図３参照）とを有している。なお、本実施形態では、前部壁４２は合成樹脂から成ると共に、天井フレーム４８の上部には、合成樹脂製の天井板４９が支持されている。
【００１８】
前部壁４２は、フロントガラス４０を支持し上下に延びる左右の縦枠４２ａ，４２ａと上横枠４２ｂ、及び中央横枠４２ｃを有していて、中央横枠４２ｃには、図示しないメータパネルの取付け位置に対応する機体左右方向の略々中央部に、燃料タンクの給油口２４を外部に露出する密閉凹部５２が形成されている。この密閉凹部５２により、キャビン３８の内側と外側は、液密又は気密に区画されることとなり、キャビン３８内の防音性及び耐シール性が向上する。また、前記縦枠４２ａにおける中央横枠４２ｃよりも上方位置には、操縦者が後方を視認可能な左右１対のバックミラー５３が取付けられている。
【００１９】
なお、エンジン１８の動力はミッションケース２１に伝達され、該ミッションケース２１の走行用の副変速機構（図示せず）が、副変速レバー３４により変速操作されて左右の後輪１４に伝達され、また、該副変速機構から分岐された動力は、プロペラシャフト（図示せず）を介して左右の前輪１２に伝達される。
【００２０】
ここで、本実施形態では、メインステップ２６の機体左右両側方に夫々サブステップ５６を取付けると共に、該サブステップ５６の左右外側方の端部に、操縦部２２の乗降口を開閉するサイドドア５０の受面を形成した。
【００２１】
図２及び図３に示すように、メインステップ２６の上面にはフロアマット５４が布設されると共に、該メインステップ２６の機体左右両側方は、下方に向け略々垂直に折曲された折曲部２６ａに形成されていて、該折曲部２６ａに、ボルト・ナット５５により所定幅のサブステップ５６が取付けられている。このサブステップ５６は、本実施形態では、２枚の鉄板が溶接固定されて、その断正面視が略々台形状に形成されている。
【００２２】
これにより、操縦部２２のフロアステップの横幅が、左右のサブステップ５６，５６の横幅に相当する分だけ拡大し、キャビン３８内の居住空間が拡大することになる。また、標準仕様のトラクタのメインステップ２６の左右側に、サブステップ５６，５６を追加し、ボルト・ナット５５で固定するだけで、キャビン仕様のトラクタにも適用することができ、組立性の向上を図ることができる。
【００２３】
更に、このサブステップ５６の上面は、水平面に対し操縦部２２の内方よりも外方が高くなるような傾斜面５６ａに形成されている。これにより、オペレータは、足裏の感覚でサブステップ５６の外側端の位置を確認することができ、足の踏み外しを防止することができるし、若しも、機体が左右に傾斜した場合においても、足が滑ってサブステップ５６の外側端から外れるのを防止することができる。また、メインステップ２６とサブステップ５６との間に、段差が形成されていないので、乗降時に足を引掛けたりつまずいたりすることもない。
【００２４】
一方、図４に示すように、メインステップ２６の上面にはフロアマット５４を布設し、サブステップ５６の上面は鋼鈑面のままとして、フロアステップ上に軟材面と鋼鈑面との境界を設けることで、目視に頼ることなく、足の感覚のみでサブステップ５６の位置を認識することができ、足の踏み外しを防止することができる。
【００２５】
次いで、サブステップ５６の外側方の側面は、垂直面に対し、操縦部２２の左右方向の外方よりも内方が低くなるように傾斜した受面５６ｂに形成されている。そして、図２及び図３に示すように、サイドドア５０を閉じたときに、この受面５６ｂにサイドドア５０がシール材５８を介して当接するようになっていて、前記サブステップ５６によりキャビン３８内の居住空間を確保しつつ、前記受面５６ｂにより室内の密閉性が保持される。
【００２６】
以上により、メインステップ２６の左右側にサブステップ５６，５６を取付けたことで、操縦部２２の左右方向の寸法がその分大きくなると共に、このサブステップ５６と前記受面５６ｂとの共働で、キャビン３８内の居住空間が拡大されることになる。
【００２７】
次に、図５（ａ）〜（ｄ）は、サブステップ５６の他の実施形態を示しており、この実施形態では、サブステップ５６の外側端部にエッジ５９を設け、横滑りしないようにしている。なお、サブステップ５６の機体左右外側方におけるフェンダフレーム３０との当接側には、突出片５６ｃが形成されている。そして、図６に示すように、メインステップ２６の機体左右両側方に、このサブステップ５６を取付けると、前記突出片５６ｃによりフェンダフレーム３０との当接部が密接し、キャビン３８内の耐シール性等が向上する。
【００２８】
図７は、サブステップ５６の更に他の実施形態を示すもので、この実施形態では、該メインステップ２６の機体左右側方の端部とサブステップ５６の内側方とを略々同一高さに形成し、これらメインステップ２６とサブステップ５６に亘りフロアマット５４を布設したものである。このとき、サブステップ５６の上面は傾斜面５６ａに形成されているので、フロアマット５４も操縦部２２の内方に対し外方が高くなるので、載せた足の横滑りを防止することができる。
【００２９】
【発明の効果】
以上説明した通り、請求項１記載の発明によれば、メインステップの機体左右両側方に夫々サブステップを取付けると共に、該サブステップの左右外側方の端部に、操縦部の乗降口を開閉するサイドドアの受面を形成したことで、サブステップと受面との共働で、キャビン内の居住空間を拡大することができる。
【００３０】
請求項２記載の発明によれば、サブステップを、操縦部の内方に対し外方が高くなるように傾斜面に形成したので、足裏の感覚でサブステップの外側端の位置を認識することができ、足の踏み外しを防止することができる。また、機体が左右に傾斜した場合でも、足が滑るのを防止することができる。
【図面の簡単な説明】
【図１】本発明に係るキャビン付きトラクタの外観斜視図である。
【図２】同上のフロアステップの断正面図（右半分）である。
【図３】同上のフロアステップの断正面図（左半分）である。
【図４】図２の拡大した断正面図（右半分）である。
【図５】（ａ）は、他の実施形態のサブステップの側面図であり、（ｂ）はそのＡ−Ａ断面図、（ｃ）はそのＡ’−Ａ’断面図、（ｄ）はＢ方向矢視図である。
【図６】サブステップの受面にサイドドアが当接した状態の側面図である。
【図７】他の実施形態のフロアステップの断正面図（右半分）である。
【符号の説明】
１０　　　トラクタ
２２　　　操縦部
２６　　　メインステップ
２８　　　座席シート
３８　　　キャビン
５０　　　サイドドア
５６　　　サブステップ
５６ａ　　傾斜面
５６ｂ　　受面
【図１】
2004130949.tif 000003
【図２】
2004130949.tif 000004
【図３】
2004130949.tif 000005
【図４】
2004130949.tif 000006
【図５】
2004130949.tif 000007
【図６】
2004130949.tif 000008
【図７】
2004130949.tif 000009